(57)【要約】【課題】複数の所望のポイント色を設定可能なカラーレーザーポインター及びその駆動方法を提供する。【解決手段】発光波長の異なる複数のレーザー発光素子６〜８と、複数のレーザー発光素子６〜８による照射ビーム色を選択する色選択手段１と、色選択手段１の色選択情報に基き色指定信号を発生する色指定手段２と、複数のレーザー発光素子６〜８をそれぞれ個別に駆動する駆動電源手段３〜５と、を具備する。色指定手段２は、その色指定信号により駆動電源手段３〜５を駆動制御する。複数のレーザー発光素子６〜８からの発光レーザービームの照射ポイントが、１つのポイントに集光されるように調整可能な集光手段９を備える。【選択図】　　　　図１
2004133059.tif 000002
【特許請求の範囲】
【請求項１】
発光波長の異なる複数のレーザー発光素子と、前記複数のレーザー発光素子による照射ビーム色を選択する色選択手段と、前記色選択手段の色選択情報に基き色指定信号を発生する色指定手段と、前記複数のレーザー発光素子をそれぞれ個別に駆動する駆動電源手段と、を具備し、
前記色指定手段は、その色指定信号により前記駆動電源手段を駆動制御するようにしたことを特徴とするカラーレーザーポインター。
【請求項２】
請求項１記載のカラーレーザーポインターにおいて、
前記複数のレーザー発光素子からの発光レーザービームの照射ポイントが、１つのポイントに集光されるように調整可能な集光手段を備えたことを特徴とするカラーレーザーポインター。
【請求項３】
前記集光手段はその光軸が、発光すべき前記レーザー発光素子の中心部と一致するように位置調整されることを特徴とする請求項２記載のカラーレーザーポインター。
【請求項４】
発光波長の異なる複数のレーザー発光素子による照射ビーム色を色選択手段により選択する工程と、前記色選択手段の色選択情報に基き色指定手段により色指定信号を発生する工程と、前記複数のレーザー発光素子をそれぞれ個別に駆動電源手段により駆動する工程と、を備え、
前記色指定手段が、その色指定信号により前記駆動電源手段を駆動制御するようにしたことを特徴とするカラーレーザーポインターの駆動方法。
【請求項５】
請求項４記載のカラーレーザーポインターの駆動方法において、
前記複数のレーザー発光素子からの発光レーザービームの照射ポイントが、１つのポイントに集光されるように集光手段が集光することを特徴とするカラーレーザーポインターの駆動方法。
【発明の詳細な説明】
【０００１】
【発明の属する技術分野】
本発明はレーザーポインターに係り、より見易く認識し易いカラーレーザーポインターに関するものである。
【０００２】
【従来の技術】
従来レーザーポインターにおいて、赤色等のレーザーポインターが製品化され、それらはプレゼンテーションなどで広く使用されている。図３は従来例を示しており、図において１は電源スイッチ、３は駆動回路であり、ＤＣ−ＤＣコンバータを含む。６は赤色レーザーダイオード、１１は電池、９は集光レンズである。
【０００３】
図３において電源スイッチ１をオンにすると、駆動回路３は電池１１からの電圧をＤＣ−ＤＣコンバータにより昇圧して、赤色レーザーダイオード６を発光させる。赤色レーザーダイオード６で発光した光は、集光レンズ９により充分な平行光とされ、例えば会議などのプレゼンテーションで使用される会議用パネルなどを照射し、ポイント指示するものである。
【０００４】
【発明が解決しようとする課題】
しかしながら、上述した例のように赤色等の単色のレーザーポインタを複数人でそれぞれ所持し、会議等において例えば会議用パネルを複数人で同時に指示した場合、どのポイントが誰に指示されているのか判別がつき難いという問題があった。
【０００５】
本発明はかかる実情に鑑み、複数の所望のポイント色を設定可能なカラーレーザーポインター及びその駆動方法を提供することを目的とする。
【０００６】
【課題を解決するための手段】
本発明のカラーレーザーポインターは、発光波長の異なる複数のレーザー発光素子と、前記複数のレーザー発光素子による照射ビーム色を選択する色選択手段と、前記色選択手段の色選択情報に基き色指定信号を発生する色指定手段と、前記複数のレーザー発光素子をそれぞれ個別に駆動する駆動電源手段と、を具備し、前記色指定手段は、その色指定信号により前記駆動電源手段を駆動制御するようにしたことを特徴とする。
【０００７】
また、本発明のカラーレーザーポインターにおいて、前記複数のレーザー発光素子からの発光レーザービームの照射ポイントが、１つのポイントに集光されるように調整可能な集光手段を備えたことを特徴とする。
【０００８】
また、本発明のカラーレーザーポインターにおいて、前記集光手段はその光軸が、発光すべき前記レーザー発光素子の中心部と一致するように位置調整されることを特徴とする。
【０００９】
また、本発明のカラーレーザーポインターの駆動方法は、発光波長の異なる複数のレーザー発光素子による照射ビーム色を色選択手段により選択する工程と、前記色選択手段の色選択情報に基き色指定手段により色指定信号を発生する工程と、前記複数のレーザー発光素子をそれぞれ個別に駆動電源手段により駆動する工程と、を備え、前記色指定手段が、その色指定信号により前記駆動電源手段を駆動制御するようにしたことを特徴とする。
【００１０】
また、本発明のカラーレーザーポインターの駆動方法において、前記複数のレーザー発光素子からの発光レーザービームの照射ポイントが、１つのポイントに集光されるように集光手段が集光することを特徴とする。
【００１１】
本発明では、色選択手段の色選択情報に基き色指定手段が、その色指定信号により駆動電源手段を駆動制御することで、カラーレーザーポインターのレーザーポイント色を切り換え可能とする。従って、複数色から選択した所望のポイント色を設定することができる。
【００１２】
【発明の実施の形態】
以下、図面に基づいて、従来例と実質的に同一又は対応する部材には同一符号を用いて、本発明によるカラーレーザーポインターの好適な実施の形態を詳細に説明する。
【００１３】
図１は、本発明の実施形態に係る本発明の特徴を最もよく表す図である。図１において、１は色選択スイッチ、２は色指定回路部、３〜５はカラーレーザー発光素子駆動電源部、６〜８はそれぞれ赤色レーザー発光ダイオード、緑色レーザー発光ダイオード、青色レーザー発光ダイオード、９は集光レンズ、１０は集光レンズ位置調整手段、１１は電池、１２は外装である。
【００１４】
次に図１において色選択スイッチ１は、図示のようにレーザーポインタ本体に取り付けられた回転ダイヤル式の切換えスイッチである。本実施形態では赤、緑、青、マゼンタ、黄、シアン、白、電源オフの８つのポイントをスイッチの回転ダイヤル外周部に表示し、回転することにより色指定できるようになっている。
【００１５】
図２は、色選択スイッチ１の構造を示している。図２（ａ）において、１０１は色選択スイッチ１のダイヤルの操作ダイヤルカバーであり、８つのモードを示すポイントマーク及び図示しない色名表示を持つ。なお、回転位置指定のためのクリック機構や位置指定のための機構の図示は省略する。１０２は操作ダイヤルカバー１０１の回転に連動回転するロータリースイッチ電極板である。図において白丸表示部は非能動接点部１０２ａ、また黒丸表示部は能動接点部１０２ｂとして、該能動接点部１０２ｂには図示しないが、論理値においてＨＩＧＨレベルを電源より供給しておく。次に１０３は集電基板であり、該集電基板１０３上に３本の電極により構成される接触子１０４を備える。接触子１０４によってロータリースイッチ電極板１０２の各電極の電位を検出するように構成されている。
【００１６】
回転スイッチは、図２（ｂ）に示すロータリースイッチ電極板１０２のように裏面にロータリー電極を構成する。その各接点は８つの回転角に分割配置され、それぞれの位置に３ビット対応の電極を構成する。そして集電基板１０３の３つの対向する接触子１０４により、色指定回路部２に色指定情報を供給する。本実施形態においては色指定回路２は論理回路により、色指定信号でカラーレーザー発光素子駆動電源部３〜５の制御を行い、その指定色に従ってカラーレーザーダイオード６〜８を発光させるように構成されている。
【００１７】
例えば赤色の場合は、レーザー発光素子駆動電源部３が赤色レーザーダイオード６を点灯発光させる。また、緑色の場合は、レーザー発光素子駆動電源部４が緑色レーザーダイオード７を点灯発光させる。青色の場合は、レーザー発光素子駆動電源部５が青色レーザーダイオード８を点灯発光させる。
【００１８】
さらに、黄色の場合は、レーザー発光素子駆動電源部３及び４がそれぞれ、赤色レーザーダイオード６と緑色レーザーダイオード７を点灯発光させる。また、シアン色の場合は、レーザー発光素子駆動電源部４及び５がそれぞれ、緑色レーザーダイオード７と青色レーザーダイオード８を点灯発光させる。また、マゼンタの場合は、レーザー発光素子駆動電源部５及び３がそれぞれ、青色レーザーダイオード８と赤色レーザーダイオード６を点灯発光させる。白の場合は、レーザー発光素子駆動電源部３、４及び５がそれぞれ、赤色レーザーダイオード６と緑色レーザーダイオード７と青色レーザーダイオード８の３つ全てを点灯発光させる。
【００１９】
上記の場合、それぞれのレーザー発光ダイオードの発光レーザー光線は、集光レンズ９により十分な平行光として、例えば会議用パネル上に選択されたカーラーポイントを照射、指示するものである。その際、集光レンズ９はその光軸が、発光すべきレーザー発光素子の中心部と一致するように、位置調整手段１０によって位置調整される。
【００２０】
以上、本発明を実施形態とともに説明したが、本発明はこれらの実施形態にのみ限定されるものではなく、本発明の範囲内で変更等が可能である。
例えば３種類のレーザー発光ダイオード（赤、緑、青）の場合ばかりでなく、そのうちの２種類であってよい。
【００２１】
【発明の効果】
以上述べたように本発明によれば、この種のカラーレーザーポインターにおいてレーザーポイント色を切り換え、カラーレーザーのポイント照射を選択的に可能とすることで、複数のレーザーポインターでのポイント指示であっても異なる色指定が即座に可能となり、容易な発言者等の識別を容易に行なうことが可能となるものである。また、好みの色によるレーザー光でのプレゼンテーションが可能となる。
【図面の簡単な説明】
【図１】本発明のカラーレーザーポインターの構成例を示す図である。
【図２】本発明のカラーレーザーポインターにおける色選択スイッチ部の構造を示す図である。
【図３】従来例のレーザーポインターの構成例を示す図である。
【符号の説明】
１　　色選択スイッチ
２　　色指定回路部
３〜５　　カラーレーザー発光素子駆動電源部
６　　赤色レーザー発光ダイオード
７　　緑色レーザー発光ダイオード
８　　青色レーザー発光ダイオード
９　　集光レンズ
１０　　集光レンズ位置調整手段
１１　　電源（電池）
１２　　外装
【図１】
2004133059.tif 000003
【図２】
2004133059.tif 000004
【図３】
2004133059.tif 000005